(57)【特許請求の範囲】
【請求項１】
建設現場等に配設される通路部材と連結部材とからなる仮設通路であって、通路部材は通路方向に長い略長板状の床材と、その床材の両側縁に取り付けられる巾木とからなるとともに、巾木の長手方向両端に、連結孔を有する接続片がそれぞれ巾木の延長上に突設され、連結部材は、前記床材の短辺方向の両端間に配置するコ字形部材と、そのコ字形部材の両端起立部の外面に前記接続片の連結孔に貫通されるように突設した突起片とからなるとともに、コ字形部材の一方の起立部が揺動可能に軸連結され、かつその揺動可能な起立部に設けた突起片の先端部に抜け止めピンが設けられて、複数の通路部材を長手方向に連続配置して連結部材で連結できることを特徴とする建設現場用仮設通路。
【請求項２】
通路部材の巾木の上端縁に沿ってパイプが取り付けられ、そのパイプに手摺用支柱がクランプで固定されるようになっていることを特徴とする請求項１に記載の建設現場用仮設通路。
【請求項３】
通路部材の床材は、その短辺方向に長い凹部と凸部が交互に表われる様に軽金属板で形成され、連結部材は鉄製であることを特徴とする請求項１又は２に記載の建設現場用仮設通路。
【発明の詳細な説明】
【０００１】
【産業上の利用分野】
本発明は建築および土木工事等の現場において、スラブの開口部や鉄骨の梁の間などに架け渡して使用する仮設の通路に関する。
【０００２】
【従来の技術】
従来、スラブの開口部や鉄骨の梁の間、資材保管用のステージ間などに作業者が移動するための仮設の通路を設ける場合、梁材などに長い鋼材を適宜間隔で架け渡し、その上に足場板を架け渡すとともに、足場板の両側にパイプをクランプなどで取り付けて手摺とし、作業者が移動する通路としている。
【０００３】
【発明が解決しようとする課題】
従来の仮設の通路は、その組み立てや解体に手間がかかるとともに、熟練した者でないと組み立てることが難しかった。また、長いスパンの場所に通路を形成する場合は、通行する作業者の重みで通路が撓んだり、足場板が外れる等して安定性に欠けることがあった。また、長いスパンの架け渡しでは、梁材と梁材の間に架け渡す鋼材が長くなり、その保管や移動は容易なものではないし、架け渡す場所に合わせて鋼材寸法を決定しているので、掛け渡し長さの異なる別の場所には使用できず、経済的とはいえなかった。
そこで本発明は、仮設通路を通路部材と連結部材とで構成し、複数の通路部材を連結部材で連結することにより、種々の長さの仮設通路に対応できるようにするとともに、仮設通路の連結部を大きな強度で連結できるようにし、さらに仮設通路の組立て分解が容易にできるようにすることを目的とする。
【０００４】
【課題を解決するための手段】
本発明は、建設現場等に配設される通路部材と連結部材とからなる仮設通路であって、上記目的を達成したものである。通路部材は通路方向に長い略長板状の床材と、その床材の両側縁に取り付けられる巾木とからなるとともに、巾木の長手方向両端に、連結孔を有する接続片がそれぞれ巾木の延長上に突設されている。連結部材は、前記床材の短辺方向の両端間に配置するコ字形部材と、そのコ字形部材の両端起立部の外面に前記接続片の連結孔に貫通されるように突設した突起片とからなるとともに、コ字形部材の一方の起立部がその残りの部分に揺動可能に軸連結され、かつその揺動可能な起立部に設けた突起片の先端部に抜け止めピンが設けられている。
【０００５】
通路部材の巾木の上端縁に沿ってパイプを取り付けて、そのパイプに手摺用支柱をクランプで固定することができる。
また通路部材の床材は、その短辺方向に長い凹部と凸部が交互に表われる様に軽金属板で形成し、連結部材を鉄製にして、全体を軽量にするとともに作業者の通行に十分耐え得る強度にすることができる。
【０００６】
【作用】
上記の仮設通路を組立てて長い仮設通路にする場合、通路部材をその長手方向に連続配置し、隣接する通路部材の両側の接続片が仮設通路の両側でそれぞれ重なる状態にする。そしてその左右の重なった接続片の間にコ字形部材を配置してその両端起立部が通路部材側の接続片に接する状態にし、かつ起立部に設けられた突起片を重なった状態の２つの接続片の連結孔に挿入する。なお、前記のようにコ字形部材を配置するためには、軸連結された方の起立部をその軸部を支点にして内側に倒して配置し、先に固定状態の起立部の突起片を連結孔に挿入し、次に前記の倒した起立部を起して突起片を接続片の連結孔に挿入する。そして軸連結された方の起立部の突起片の先端部にピンを差し込むことにより抜け止めとし、コ字形部材をその連結状態に保持する。
【０００７】
この場合、接続片の連結孔を長孔に形成し、その孔に対応した形状の突起片を連結部材の起立片に設けておくことにより、通路部材１の連結状態をより安定したものにすることができる。
通路部材に手摺を設ける場合は、手摺支柱の下部を通路部材の巾木の上部にクランプで取り付け、その支柱の上部に水平手摺をクランプで固定する。
また、通路部材の床を凹凸状に形成することにより、軽量であって強度が大きなものとなり、連結部材を鉄製にすることで連結部の強度を大きくすることができる。
【０００８】
【実施例】
本発明の建設現場用仮設通路を図１〜３により説明する。
仮設通路は、複数の通路部材１と複数の連結部材２とからなり、複数の通路部材１を通路方向に連続配置して、隣合う通路部材１の境を連結部材２でそれぞれ連結して形成される。
通路部材１は、通路方向に長い略長板状の床材３の両側縁に巾木４が設けられており、床材３は短辺方向に長い凹部と凸部が交互に連続するようにアルミのような軽金族板で一体に成形されているが、数部材を連結して形成してもよい。巾木４も床材３と同一材料で形成され、両巾木４の長手方向両端に、連結孔５ａを有する接続片５がそれぞれ巾木４の延長上に突設されている。巾木４の長手方向両端に取り付けられる２つの接続片５は、巾木４の内側と外側との互いに逆となるように取り付けられ、隣合う通路部材１を連結する場合に、両側の接続片５がぶつかることなく重なるようにする。
【０００９】
本実施例の接続片５は例えば鉄製であって巾木４にボルト止めされており、接続片５に設けた連結孔５ａは略長方形に形成されていて、後記する連結部材２の突起片１１が挿入された状態で両者の係合状態がガタつくことがなく、隣合う通路部材１を強固に連結できるようになっている。なお、接続片５の連結孔は長方形以外の楕円形や、２つの円を連続させた形状などに形成してもよく、その場合、突起片１１も対応した断面形に形成する。
【００１０】
また両側の巾木５の上端縁に沿ってパイプ６が取り付けられ、パイプ６の適宜位置に手摺支柱７の下部をクランプ８により固定し、さらに支柱７の上部に水平パイプ９をクランプ１０で固定することにより、通路部材に手摺を取り付けることができる。なお手摺支柱７の下端１箇所を固定するだけでなく、支柱７の下端を巾木４の下端まで延ばしてクランプで巾木の下端に固定するようにしてもよい。その場合、巾木４の下端縁に沿ってパイプを取り付けるようにすれば、支柱下端をクランプ固定するのが容易になる。また巾木にパイプ６を取り付けることにより、通路部材の強度が増し、作業者の通行時に撓みにくくなる。
【００１１】
連結部材２は、コ字形部材２ａの両端の起立部２ｂの外面にそれぞれ突起片１１が突設され、突起片１１は断面略長方形に形成されて前記の接続片５の連結孔５ａ内に挿入されるようになっている。コ字形部材２ａの一方の起立部２ｂは固定状態であり、他方の起立部２ｂはヒンジ１２によりコ字形部材２ａの残りの部分に揺動可能に連結され、コ字形部材２ａを通路部材１の連結部に配置する際に片側の起立部２ｂを内側に倒せるようになっている。また揺動可能な方の起立部２ｂに設けた突起片１１の先端部にはピン孔１３が設けられ、突起片１１が連結される通路部材の２枚の接続片５の連結孔５ａに挿入された状態でピン孔１３にピン１４を差し込むことにより、コ字形部材２ａと接続片５との結合状態を保持できるようになっている。このように構成される連結部材２は鉄製であり、前記の通路部材１を十分な強度で連結することができる。
【００１２】
なお前記のヒンジ１２は、３６０度回動できるものであるが、通路部材１を連結する場合に起立部１１が接続片５に当接されてピン１４で抜け止めされれば、連結部はガタつくことなく大きな強度で連結される。しかし、ヒンジ１２にストッパを設けてヒンジの揺動角度を規制し、起立部２ｂが起立した状態と内側に倒れた状態の９０度の範囲内の揺動に規制してもよい。また前記では１つの起立部２ｂをヒンジ結合したが、ヒンジの代わりの他の軸連結構成にしてもよい。さらにピン１４は、図示を省略したが鎖でコ字形部材２ａの任意位置に連結されている。
【００１３】
【発明の効果】
本発明の仮設通路は、通路部材の両端に連結孔を有する接続片が突設され、隣合う通路部材を必要数だけ連結部材で容易に連結して種々の長さの仮設通路を形成することができる。また連結部材は、コ字形部材の一方の起立部が揺動可能に形成されているので、その起立部を内側に倒した状態で連結部に配置し、その後に起立部を起して突起片を接続片の連結孔に挿入するので、複数の通路部材の連結分解が容易であり、しかも仮設通路の連結部の強度が大きなものとなる。
【図面の簡単な説明】
【図１】本発明の建設現場用仮設通路を構成する通路部材の斜視図である。
【図２】本発明の建設現場用仮設通路を構成する連結部材の斜視図である。
【図３】本発明の建設現場用仮設通路の組立て状態の斜視図である。
【符号の説明】
１  通路部材
２  連結部材
２ａ  コ字形部材
２ｂ  起立部
５  接続片
５ａ  連結孔
１１  突起片
【図１】
0003718288.tif 000002
【図２】
0003718288.tif 000003
【図３】
0003718288.tif 000004